(57)【要約】【課題】認証システムにおいて幅広い用途への利用と優れた機密性を実現する。【解決手段】読取装置２は、認証媒体に印刷された照合用マークを光学的に読み取り、照合用マークからの反射光の所定の複数の波長帯域における光量を検出し、検出した複数の波長帯域の光量とスペクトル算出用パラメータとを用いて、照合用マークの反射スペクトル特性を算出し、算出した反射スペクトル特性を示す情報を認証装置３に送信する。認証装置３は、読取装置２で算出された反射スペクトル特性と、予め測定された照合用マークの正規の反射スペクトル特性とを照合して、読取装置２で照合用マークを読み取った認証媒体が正規の認証媒体であるか否かを判断する。【選択図】図１
2011248632.tif 000002
【特許請求の範囲】
【請求項１】
認証媒体に印刷された照合用マークを光学的に読み取る読取装置と、
前記読取装置で前記照合用マークを読み取った認証媒体が正規の認証媒体であるか否かを判断する認証装置とを備え、
前記読取装置は、
前記照合用マークを光学的に読み取り、前記照合用マークからの反射光の所定の複数の波長帯域における光量を検出する読取部と、
前記複数の波長帯域における反射光の光量から反射スペクトル特性を算出するためのスペクトル算出用パラメータを前記認証装置から取得し、前記読取部で検出した前記複数の波長帯域の光量と前記スペクトル算出用パラメータとを用いて、前記照合用マークの反射スペクトル特性を算出するスペクトル特性算出部と、
前記スペクトル特性算出部で算出した反射スペクトル特性を示す情報を前記認証装置に送信する通信部とを備え、
前記認証装置は、
前記スペクトル算出用パラメータを予め記憶しておく記憶部と、
前記読取装置の前記スペクトル特性算出部で算出した反射スペクトル特性と、予め測定された前記照合用マークの正規の反射スペクトル特性とを照合して、前記読取装置で前記照合用マークを読み取った認証媒体が正規の認証媒体であるか否かを判断する判断部と
を備えることを特徴とする認証システム。
【請求項２】
認証媒体に印刷された照合用マークを光学的に読み取る読取装置と、
前記読取装置で前記照合用マークを読み取った認証媒体が正規の認証媒体であるか否かを判断する認証装置とを備え、
前記読取装置は、
前記照合用マークを光学的に読み取り、前記照合用マークからの反射光の所定の複数の波長帯域における光量を検出する読取部と、
前記読取部で検出した前記複数の波長帯域における光量を示す情報を前記認証装置に送信する通信部とを備え、
前記認証装置は、
前記複数の波長帯域における反射光の光量から反射スペクトル特性を算出するためのスペクトル算出用パラメータを予め記憶しておく記憶部と、
前記読取装置の前記読取部で検出した前記複数の波長帯域の光量と前記スペクトル算出用パラメータとを用いて、前記照合用マークの反射スペクトル特性を算出するスペクトル特性算出部と、
前記スペクトル特性算出部で算出した反射スペクトル特性と、予め測定された前記照合用マークの正規の反射スペクトル特性とを照合して、前記読取装置で前記照合用マークを読み取った認証媒体が正規の認証媒体であるか否かを判断する判断部と
を備えることを特徴とする認証システム。
【請求項３】
認証媒体に印刷された照合用マークを読取装置で光学的に読み取って得られた前記照合用マークからの反射光の所定の複数の波長帯域における光量を示す情報を取得する情報取得部と、
前記複数の波長帯域における反射光の光量から反射スペクトル特性を算出するためのスペクトル算出用パラメータを予め記憶しておく記憶部と、
前記情報取得部で取得した前記複数の波長帯域の光量と前記スペクトル算出用パラメータとを用いて、前記照合用マークの反射スペクトル特性を算出するスペクトル特性算出部と、
前記スペクトル特性算出部で算出した反射スペクトル特性と、予め測定された前記照合用マークの正規の反射スペクトル特性とを照合して、前記読取装置で前記照合用マークを読み取った認証媒体が正規の認証媒体であるか否かを判断する判断部と
を備えることを特徴とする認証装置。
【請求項４】
認証媒体に印刷された、照合用マークと、複数色のマークを有する基準カラーマークとを光学的に読み取る読取装置と、
前記読取装置で前記照合用マークおよび前記基準カラーマークを読み取った認証媒体が正規の認証媒体であるか否かを判断する認証装置とを備え、
前記読取装置は、
前記照合用マークと前記基準カラーマークとを光学的に読み取り、前記照合用マークからの反射光の所定の複数の波長帯域における光量と、前記基準カラーマークの各色のマークからの反射光の前記複数の波長帯域における光量とを検出する読取部と、
前記照合用マークおよび前記基準カラーマークの各色のマークをそれぞれ読み取って得られた前記複数の波長帯域における光量を示す情報と、前記読取部の分光感度特性に応じた光学系タイプを示す光学系タイプ情報とを前記認証装置に送信する通信部とを備え、
前記認証装置は、
前記複数の波長帯域における反射光の光量から反射スペクトル特性を算出するためのスペクトル算出用パラメータを予め記憶しておく記憶部と、
前記読取部で前記基準カラーマークを読み取って得られた前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、
前記光源タイプ判定部で判定した光源タイプおよび前記読取装置から送信された前記光学系タイプ情報が示す前記読取部の光学系タイプに応じたスペクトル算出用パラメータを前記記憶部から取得し、取得したスペクトル算出用パラメータと、前記読取部で前記照合用マークを読み取って得られた前記所定の複数の波長帯域における光量とを用いて、前記照合用マークの反射スペクトル特性を算出するスペクトル特性算出部と、
前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部と
を備えることを特徴とする認証システム。
【請求項５】
認証媒体に印刷された、照合用マークと、複数色のマークを有する基準カラーマークとを光学的に読み取る読取部を有する読取装置から、前記読取部で得られた前記照合用マークからの反射光および前記基準カラーマークの各色のマークからの反射光の所定の複数の波長帯域における光量を示す情報と、前記読取部の分光感度特性に応じた光学系タイプを示す光学系タイプ情報とを取得する情報取得部と、
前記複数の波長帯域における反射光の光量から反射スペクトル特性を算出するためのスペクトル算出用パラメータを予め記憶しておく記憶部と、
前記情報取得部で取得した前記基準カラーマークの前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、
前記光源タイプ判定部で判定した光源タイプおよび前記情報取得部で取得した前記光学系タイプ情報が示す前記読取部の光学系タイプに応じたスペクトル算出用パラメータを前記記憶部から取得し、取得したスペクトル算出用パラメータと、前記読取部で前記照合用マークを読み取って得られた前記所定の複数の波長帯域における光量とを用いて、前記照合用マークの反射スペクトル特性を算出するスペクトル特性算出部と、
前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部と
を備えることを特徴とする認証装置。
【請求項６】
認証媒体に印刷された、照合用マークと、複数色のマークを有する基準カラーマークとを光学的に読み取る読取装置と、
前記読取装置で前記照合用マークおよび前記基準カラーマークを読み取った認証媒体が正規の認証媒体であるか否かを判断する認証装置とを備え、
前記読取装置は、
前記照合用マークと前記基準カラーマークとを光学的に読み取り、前記照合用マークからの反射光の所定の複数の波長帯域における光量と、前記基準カラーマークの各色のマークからの反射光の前記複数の波長帯域における光量とを検出する読取部と、
前記照合用マークおよび前記基準カラーマークの各色のマークをそれぞれ読み取って得られた前記複数の波長帯域における光量を示す情報と、前記読取部の分光感度特性に応じた光学系タイプを示す光学系タイプ情報とを前記認証装置に送信する通信部とを備え、
前記認証装置は、
前記読取部で前記基準カラーマークを読み取って得られた前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、
複数の光学系タイプごとの分光感度特性と、複数の光源タイプごとの光源スペクトル特性と、予め測定された互いに色の異なる複数のサンプルマークの反射スペクトル特性とを予め記憶しておく記憶部と、
前記読取装置から送信された前記光学系タイプ情報が示す光学系タイプに応じた分光感度特性と、前記光源タイプ判定部で判定した光源タイプに応じた光源スペクトル特性とを前記記憶部から選択し、選択した分光感度特性および光源スペクトル特性と、前記複数のサンプルマークの反射スペクトル特性とを用いて、前記複数の波長帯域における反射光の光量から反射スペクトル特性を算出するためのスペクトル算出用パラメータを算出するパラメータ算出部と、
前記読取部で前記照合用マークを読み取って得られた前記所定の複数の波長帯域における光量と、前記パラメータ算出部で算出したスペクトル算出用パラメータとを用いて、前記照合用マークの反射スペクトル特性を算出するスペクトル特性算出部と、
前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部と
を備えることを特徴とする認証システム。
【請求項７】
認証媒体に印刷された、照合用マークと、複数色のマークを有する基準カラーマークとを光学的に読み取る読取部を有する読取装置から、前記読取部で得られた前記照合用マークからの反射光および前記基準カラーマークの各色のマークからの反射光の所定の複数の波長帯域における光量を示す情報と、前記読取部の分光感度特性に応じた光学系タイプを示す光学系タイプ情報とを取得する情報取得部と、
前記情報取得部で取得した前記基準カラーマークの前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、
複数の光学系タイプごとの分光感度特性と、複数の光源タイプごとの光源スペクトル特性と、予め測定された互いに色の異なる複数のサンプルマークの反射スペクトル特性とを予め記憶しておく記憶部と、
前記情報取得部で取得した前記光学系タイプ情報が示す光学系タイプに応じた分光感度特性と、前記光源タイプ判定部で判定した光源タイプに応じた光源スペクトル特性とを前記記憶部から選択し、選択した分光感度特性および光源スペクトル特性と、前記複数のサンプルマークの反射スペクトル特性とを用いて、前記複数の波長帯域における反射光の光量から反射スペクトル特性を算出するためのスペクトル算出用パラメータを算出するパラメータ算出部と、
前記読取部で前記照合用マークを読み取って得られた前記所定の複数の波長帯域における光量と、前記パラメータ算出部で算出したスペクトル算出用パラメータとを用いて、前記照合用マークの反射スペクトル特性を算出するスペクトル特性算出部と、
前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部と
を備えることを特徴とする認証装置。
【発明の詳細な説明】
【技術分野】
【０００１】
本発明は、カード等の媒体を用いた認証システムおよび認証装置に関する。
【背景技術】
【０００２】
カードなどの媒体を用いて個人認証を行う技術は実生活において日常的に利用されている。例えば、カードに記録した磁気データを読取装置で読み取り、読み取ったデータを照合することで認証を行う技術が知られている。また、カードに記録した情報の機密性をより高めるために、ＩＣチップを搭載したカードを利用する認証方法も増えている。
【０００３】
上記のようなカードでは、カードの偽造やデータの漏洩、改竄等を防止するための処置が施されている。しかし、磁気データ記録型のカードではその方式の簡易性から偽造等が容易であり、また、ＩＣチップ型のカードにおいても、ＩＣチップのすり替えによる偽造等が発生していた。
【０００４】
そこで、特許文献１では、ＩＣチップをカードの所定位置に隠蔽固定し、ＩＣチップのすり替えによるカードの偽造を防止する技術が提案されている。また、特許文献２には、ＩＣチップに記録する情報を、偏角分光測光法で対象者の顔を測定した際の測光データとすることにより、個人の確定を確実に行う技術が開示されている。
【先行技術文献】
【特許文献】
【０００５】
【特許文献１】特開２００５−４７１７３号公報
【特許文献２】特開２００７−５２６３８号公報
【発明の概要】
【発明が解決しようとする課題】
【０００６】
しかしながら、ＩＣチップ型のカードは、磁気データ記録型のカードと比べてコストが高く、また、ＩＣチップ自体の供給体制の制約から発行枚数の自由度が低いため、用途としては比較的機密性の高さを要求されるものに限定される傾向にある。また、機密性に関しては、最近ではＩＣカードリーダが安価で簡単に入手可能となってきたことにより、データの漏洩、改竄等の危険度が大きくなりつつある。
【０００７】
特許文献１の技術では、ＩＣチップのすり替えによるカードの偽造を防止することができるが、上記のようなことから、幅広い用途への適性、および機密性が十分でない。また、特許文献２の技術では、カードの偽造、データの改竄等の危険度を低く抑えることが可能となるが、カードに記録するデータの作成に手間と特別な装置が必要であり、特定の用途には有利であるが、幅広い用途には適さない。
【０００８】
本発明は上記に鑑みてなされたもので、幅広い用途に用いることができる機密性に優れた認証システムおよび認証装置を提供することを目的とする。
【課題を解決するための手段】
【０００９】
本発明の一態様によれば、認証媒体に印刷された照合用マークを光学的に読み取る読取装置と、前記読取装置で前記照合用マークを読み取った認証媒体が正規の認証媒体であるか否かを判断する認証装置とを備え、前記読取装置は、前記照合用マークを光学的に読み取り、前記照合用マークからの反射光の所定の複数の波長帯域における光量を検出する読取部と、前記複数の波長帯域における反射光の光量から反射スペクトル特性を算出するためのスペクトル算出用パラメータを前記認証装置から取得し、前記読取部で検出した前記複数の波長帯域の光量と前記スペクトル算出用パラメータとを用いて、前記照合用マークの反射スペクトル特性を算出するスペクトル特性算出部と、前記スペクトル特性算出部で算出した反射スペクトル特性を示す情報を前記認証装置に送信する通信部とを備え、前記認証装置は、前記スペクトル算出用パラメータを予め記憶しておく記憶部と、前記読取装置の前記スペクトル特性算出部で算出した反射スペクトル特性と、予め測定された前記照合用マークの正規の反射スペクトル特性とを照合して、前記読取装置で前記照合用マークを読み取った認証媒体が正規の認証媒体であるか否かを判断する判断部とを備えることを特徴とする認証システムが提供される。
【００１０】
本発明の他の態様によれば、認証媒体に印刷された照合用マークを光学的に読み取る読取装置と、前記読取装置で前記照合用マークを読み取った認証媒体が正規の認証媒体であるか否かを判断する認証装置とを備え、前記読取装置は、前記照合用マークを光学的に読み取り、前記照合用マークからの反射光の所定の複数の波長帯域における光量を検出する読取部と、前記読取部で検出した前記複数の波長帯域における光量を示す情報を前記認証装置に送信する通信部とを備え、前記認証装置は、前記複数の波長帯域における反射光の光量から反射スペクトル特性を算出するためのスペクトル算出用パラメータを予め記憶しておく記憶部と、前記読取装置の前記読取部で検出した前記複数の波長帯域の光量と前記スペクトル算出用パラメータとを用いて、前記照合用マークの反射スペクトル特性を算出するスペクトル特性算出部と、前記スペクトル特性算出部で算出した反射スペクトル特性と、予め測定された前記照合用マークの正規の反射スペクトル特性とを照合して、前記読取装置で前記照合用マークを読み取った認証媒体が正規の認証媒体であるか否かを判断する判断部とを備えることを特徴とする認証システムが提供される。
【００１１】
本発明の他の態様によれば、認証媒体に印刷された照合用マークを読取装置で光学的に読み取って得られた前記照合用マークからの反射光の所定の複数の波長帯域における光量を示す情報を取得する情報取得部と、前記複数の波長帯域における反射光の光量から反射スペクトル特性を算出するためのスペクトル算出用パラメータを予め記憶しておく記憶部と、前記情報取得部で取得した前記複数の波長帯域の光量と前記スペクトル算出用パラメータとを用いて、前記照合用マークの反射スペクトル特性を算出するスペクトル特性算出部と、前記スペクトル特性算出部で算出した反射スペクトル特性と、予め測定された前記照合用マークの正規の反射スペクトル特性とを照合して、前記読取装置で前記照合用マークを読み取った認証媒体が正規の認証媒体であるか否かを判断する判断部とを備えることを特徴とする認証装置が提供される。
【００１２】
本発明の他の態様によれば、認証媒体に印刷された、照合用マークと、複数色のマークを有する基準カラーマークとを光学的に読み取る読取装置と、前記読取装置で前記照合用マークおよび前記基準カラーマークを読み取った認証媒体が正規の認証媒体であるか否かを判断する認証装置とを備え、前記読取装置は、前記照合用マークと前記基準カラーマークとを光学的に読み取り、前記照合用マークからの反射光の所定の複数の波長帯域における光量と、前記基準カラーマークの各色のマークからの反射光の前記複数の波長帯域における光量とを検出する読取部と、前記照合用マークおよび前記基準カラーマークの各色のマークをそれぞれ読み取って得られた前記複数の波長帯域における光量を示す情報と、前記読取部の分光感度特性に応じた光学系タイプを示す光学系タイプ情報とを前記認証装置に送信する通信部とを備え、前記認証装置は、前記複数の波長帯域における反射光の光量から反射スペクトル特性を算出するためのスペクトル算出用パラメータを予め記憶しておく記憶部と、前記読取部で前記基準カラーマークを読み取って得られた前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、前記光源タイプ判定部で判定した光源タイプおよび前記読取装置から送信された前記光学系タイプ情報が示す前記読取部の光学系タイプに応じたスペクトル算出用パラメータを前記記憶部から取得し、取得したスペクトル算出用パラメータと、前記読取部で前記照合用マークを読み取って得られた前記所定の複数の波長帯域における光量とを用いて、前記照合用マークの反射スペクトル特性を算出するスペクトル特性算出部と、前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部とを備えることを特徴とする認証システムが提供される。
【００１３】
本発明の他の態様によれば、認証媒体に印刷された、照合用マークと、複数色のマークを有する基準カラーマークとを光学的に読み取る読取部を有する読取装置から、前記読取部で得られた前記照合用マークからの反射光および前記基準カラーマークの各色のマークからの反射光の所定の複数の波長帯域における光量を示す情報と、前記読取部の分光感度特性に応じた光学系タイプを示す光学系タイプ情報とを取得する情報取得部と、前記複数の波長帯域における反射光の光量から反射スペクトル特性を算出するためのスペクトル算出用パラメータを予め記憶しておく記憶部と、前記情報取得部で取得した前記基準カラーマークの前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、前記光源タイプ判定部で判定した光源タイプおよび前記情報取得部で取得した前記光学系タイプ情報が示す前記読取部の光学系タイプに応じたスペクトル算出用パラメータを前記記憶部から取得し、取得したスペクトル算出用パラメータと、前記読取部で前記照合用マークを読み取って得られた前記所定の複数の波長帯域における光量とを用いて、前記照合用マークの反射スペクトル特性を算出するスペクトル特性算出部と、前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部とを備えることを特徴とする認証装置が提供される。
【００１４】
本発明の他の態様によれば、認証媒体に印刷された、照合用マークと、複数色のマークを有する基準カラーマークとを光学的に読み取る読取装置と、前記読取装置で前記照合用マークおよび前記基準カラーマークを読み取った認証媒体が正規の認証媒体であるか否かを判断する認証装置とを備え、前記読取装置は、前記照合用マークと前記基準カラーマークとを光学的に読み取り、前記照合用マークからの反射光の所定の複数の波長帯域における光量と、前記基準カラーマークの各色のマークからの反射光の前記複数の波長帯域における光量とを検出する読取部と、前記照合用マークおよび前記基準カラーマークの各色のマークをそれぞれ読み取って得られた前記複数の波長帯域における光量を示す情報と、前記読取部の分光感度特性に応じた光学系タイプを示す光学系タイプ情報とを前記認証装置に送信する通信部とを備え、前記認証装置は、前記読取部で前記基準カラーマークを読み取って得られた前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、複数の光学系タイプごとの分光感度特性と、複数の光源タイプごとの光源スペクトル特性と、予め測定された互いに色の異なる複数のサンプルマークの反射スペクトル特性とを予め記憶しておく記憶部と、前記読取装置から送信された前記光学系タイプ情報が示す光学系タイプに応じた分光感度特性と、前記光源タイプ判定部で判定した光源タイプに応じた光源スペクトル特性とを前記記憶部から選択し、選択した分光感度特性および光源スペクトル特性と、前記複数のサンプルマークの反射スペクトル特性とを用いて、前記複数の波長帯域における反射光の光量から反射スペクトル特性を算出するためのスペクトル算出用パラメータを算出するパラメータ算出部と、前記読取部で前記照合用マークを読み取って得られた前記所定の複数の波長帯域における光量と、前記パラメータ算出部で算出したスペクトル算出用パラメータとを用いて、前記照合用マークの反射スペクトル特性を算出するスペクトル特性算出部と、前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部とを備えることを特徴とする認証システムが提供される。
【００１５】
本発明の他の態様によれば、認証媒体に印刷された、照合用マークと、複数色のマークを有する基準カラーマークとを光学的に読み取る読取部を有する読取装置から、前記読取部で得られた前記照合用マークからの反射光および前記基準カラーマークの各色のマークからの反射光の所定の複数の波長帯域における光量を示す情報と、前記読取部の分光感度特性に応じた光学系タイプを示す光学系タイプ情報とを取得する情報取得部と、前記情報取得部で取得した前記基準カラーマークの前記各色のマークからの反射光の前記複数の波長帯域における光量に基づいて、前記読取部で前記照合用マークおよび前記基準カラーマークを読み取った際の光源環境により分類される光源タイプを判定する光源タイプ判定部と、複数の光学系タイプごとの分光感度特性と、複数の光源タイプごとの光源スペクトル特性と、予め測定された互いに色の異なる複数のサンプルマークの反射スペクトル特性とを予め記憶しておく記憶部と、前記情報取得部で取得した前記光学系タイプ情報が示す光学系タイプに応じた分光感度特性と、前記光源タイプ判定部で判定した光源タイプに応じた光源スペクトル特性とを前記記憶部から選択し、選択した分光感度特性および光源スペクトル特性と、前記複数のサンプルマークの反射スペクトル特性とを用いて、前記複数の波長帯域における反射光の光量から反射スペクトル特性を算出するためのスペクトル算出用パラメータを算出するパラメータ算出部と、前記読取部で前記照合用マークを読み取って得られた前記所定の複数の波長帯域における光量と、前記パラメータ算出部で算出したスペクトル算出用パラメータとを用いて、前記照合用マークの反射スペクトル特性を算出するスペクトル特性算出部と、前記スペクトル特性算出部で算出した前記照合用マークの反射スペクトル特性と、予め測定された前記照合用マークの正規の反射スペクトル特性とを照合することにより、前記読取装置で前記照合用マークおよび前記基準カラーマークを読み取った認証媒体が正規の認証媒体であるか否かを判断する判断部とを備えることを特徴とする認証装置が提供される。
【発明の効果】
【００１６】
本発明によれば、幅広い用途に用いることができる機密性に優れた認証システムおよび認証装置を提供することができる。
【図面の簡単な説明】
【００１７】
【図１】第１の実施の形態に係る認証システムの構成を示すブロック図である。
【図２】読取装置の読取部の構成の一例を示す図である。
【図３】第１の実施の形態における照合用マークを示す図である。
【図４】サンプルマークの反射スペクトル特性を示す図である。
【図５】照合用マークの正規の反射スペクトル特性を示す図である。
【図６】認証装置のハードウェア構成例を示す図である。
【図７】第１の実施の形態における認証システムの動作を示すフローチャートである。
【図８】第１の実施の形態の変形例に係る認証システムの構成を示すブロック図である。
【図９】第２の実施の形態に係る認証システムの構成を示すブロック図である。
【図１０】読取装置の分光感度特性の一例を示す図である。
【図１１】第２の実施の形態における照合用マークおよび基準カラーマークを示す図である。
【図１２】光源タイプ判定テーブルの一例を示す図である。
【図１３】光源のスペクトル特性の例を示す図である。
【図１４】第２の実施の形態における認証装置の動作を示すフローチャートである。
【図１５】光源タイプの判定処理の手順を示すフローチャートである。
【図１６】第２の実施の形態の変形例に係る認証システムの構成を示すブロック図である。
【発明を実施するための形態】
【００１８】
以下、本発明の実施の形態について、図面を参照して説明する。なお、各図面を通じて同一もしくは同等の部位や構成要素には、同一もしくは同等の符号を付し、その説明を省略もしくは簡略化する。
【００１９】
［第１の実施の形態］
図１は、本発明の第１の実施の形態に係る認証システムの構成を示すブロック図である。図１に示すように、第１の実施の形態に係る認証システム１は、認証媒体であるカードに印刷された照合用マークを光学的に読み取る読取装置２と、読取装置２で照合用マークを読み取ったカードが正規のカードであるか否かを判断する認証装置３とを備える。
【００２０】
読取装置２は、読取部２１と、ＩＤ取得部２２と、通信部２３と、制御部２４と、表示部２５とを備える。
【００２１】
読取部２１は、カードに印刷された照合用マークに光源から光を照射し、照合用マークからの反射光を読み取るものであり、照合用マークからの反射光におけるＲ（赤）、Ｇ（緑）、Ｂ（青）のそれぞれの波長帯域の光量（Ｒ値、Ｇ値、Ｂ値）を検出する。
【００２２】
ＩＤ取得部２２は、カードに付与されたカードＩＤを取得する。ＩＤ取得部２２は、カードに磁気信号として記録されたカードＩＤを読み取るものでもよいし、カードに設けられたバーコードからカードＩＤを読み取るものでもよい。また、ＩＤ取得部２２が入力キーを有し、ユーザがカードＩＤをキー入力する構成でもよい。カードＩＤは、カードに印刷された照合用マークの色を示す情報を含むものである。
【００２３】
通信部２３は、通信回線１０を介して認証装置３との通信を行うインタフェースである。
【００２４】
制御部２４は、読取装置２全体の動作を制御するものであり、各種の演算処理やデータの入出力等の処理を実行するＣＰＵ、ＣＰＵの動作のためのプログラム等を格納するＲＯＭ、ＣＰＵのワーク領域として使用されるＲＡＭ（いずれも図示せず）等から構成される。
【００２５】
制御部２４は、反射光のＲ値、Ｇ値、Ｂ値から反射スペクトル特性を算出するためのスペクトル算出用パラメータと、読取部２１で検出したＲ値、Ｇ値、Ｂ値とを用いて、照合用マークの反射スペクトル特性を算出するスペクトル特性算出部２４１としての機能を有する。スペクトル算出用パラメータは、予め算出されて認証装置３に記憶されているものであり、スペクトル特性算出部２４１は、カードの読み取りを行ったときに認証装置３からスペクトル算出用パラメータを取得し、これを用いて照合用マークの反射スペクトル特性を算出する。
【００２６】
表示部２５は、認証装置３による判断結果をユーザに通知するために、判断結果の表示を行う。
【００２７】
認証装置３は、記憶部３１と、通信部３２と、制御部３３と、表示部３４とを備える。
【００２８】
記憶部３１は、予め算出されたスペクトル算出用パラメータを記憶するパラメータ記憶部３１１と、予め測定された照合用マークの正規の反射スペクトル特性を記憶するスペクトル特性記憶部３１２とを有する。
【００２９】
通信部３２は、通信回線１０を介して読取装置２との通信を行うインタフェースであり、読取装置２から送信される情報を取得する情報取得部として機能する。
【００３０】
制御部３３は、読取装置２のスペクトル特性算出部２４１で算出した照合用マークの反射スペクトル特性と、スペクトル特性記憶部３１２に記憶されたこの照合用マークの正規の反射スペクトル特性とを照合して、読取装置２で照合用マークを読み取ったカードが正規のカードであるか否かを判断する判断部３３１を備える。また、制御部３３は、認証装置３全体の動作の制御を行う。
【００３１】
表示部３４は、必要に応じて判断部３３１による判断結果等の表示を行う。
【００３２】
読取装置２の読取部２１の構成の一例を図２に示す。図２において、光源２１１は、白色ＬＥＤ等からなり、白色光を射出する。光源２１１から射出された白色光は、レンズ２１２で集光され、集光された光は液晶プレート２１３を通過し、プリズム２１４に入射して進行方向を変えられ、カード１１上に印刷された照合用マークに照射される。
【００３３】
照合用マークに照射された光は、照合用マークで反射され、反射された光は、プリズム２１４を通過し、フィルタ２１５に照射される。フィルタ２１５は、約４５０〜５００ｎｍ以下の波長帯域の反射率が高くなるように設計されており、青色系成分（Ｂ値成分）の光がここで反射される。フィルタ２１５で反射された光は、青用センサ２１６に入射し、青用センサ２１６でその光量が検出され、Ｂ値として検知される。
【００３４】
フィルタ２１５を通過した光は、フィルタ２１７に照射される。フィルタ２１７は、約５００〜５６０ｎｍの波長帯域の反射率が高くなるように設計されており、緑色系成分（Ｇ値成分）の光がここで反射される。フィルタ２１７で反射された光は、緑用センサ２１８に入射し、緑用センサ２１８でその光量が検出され、Ｇ値として検知される。
【００３５】
フィルタ２１７を通過する光は約５５０〜５７０ｎｍ以上の波長帯域の光となり、赤用センサ２１９に入射し、赤用センサ２１９でその光量が検出され、Ｒ値として検知される。
【００３６】
上述した読取部２１の液晶プレート２１３は、その中心部分が常に光を透過し、その周りに電圧が印加されたときに光を遮るように透過率が下がる円形開口を持ったパターンで構成されている。これにより、液晶プレート２１３を通過する光束の大きさを調整できるようになっている。
【００３７】
カード１１に印刷された照合用マークは、例えば、図３に示したような形状を有する。図３に示すように、照合用マーク１２は、中心が白い円形部分となっており、その周囲が所定の色で着色されている。
【００３８】
照合用マーク１２に照射される光は、液晶プレート２１３の制御によって、中心の白い部分のみにあたるスポットＢの状態と、着色部分まで含めて光があたるスポットＡの状態とが選択できる。スポットＢの状態は、始めに白い部分の反射光により青用センサ２１６、緑用センサ２１８、赤用センサ２１９で検出される光の成分バランスの基準値を設定するときに選択され、これにより読取部２１の光量検出系の調整が行われる。認証を行うために照合用マーク１２からの反射光のＲ値、Ｇ値、Ｂ値を検出するときは、スポットＡの状態で行う。
【００３９】
照合用マーク１２の大きさは特に制限されない。また、照合用マーク１２の形状は、図３に示したものに限らず、着色部分と、読取部２１の光量検出系の調整のために用いられる白い部分とを有するものであればよい。
【００４０】
なお、読取部２１は、図２に示したような構成に限らず、例えば、デジタルカメラ等に使用されるイメージセンサを用いてＲ値、Ｇ値、Ｂ値を検出する構成としてもよい。
【００４１】
上述のように、照合用マーク１２は、紙等からなるカード１１上に印刷により形成される。照合用マーク１２の反射光のスペクトル特性（反射スペクトル特性）は、色によって異なるが、さらに、人の目には同じに見えるような色でも、使用される塗料やインクによって、反射スペクトル特性は異なる。このため、例えば、コピー機を用いてカード１１をカラーコピーしても、照合用マーク１２の反射スペクトルを正確に再現して偽造することは困難である。このようなことから、照合用マーク１２の反射スペクトル特性を認証情報として用いることができる。
【００４２】
次に、認証装置３のパラメータ記憶部３１１に記憶されるスペクトル算出用パラメータについて説明する。
【００４３】
スペクトル算出用パラメータは、反射光のＲ値、Ｇ値、Ｂ値から反射スペクトル特性を算出するためのパラメータであり、予め用意して認証装置３のパラメータ記憶部３１１に記憶しておくものである。
【００４４】
スペクトル算出用パラメータは、反射光のＲ値、Ｇ値、Ｂ値からある波長帯域における反射スペクトル特性を算出することができるものであればどのようなものでもよいが、本実施の形態では、重回帰分析の手法を用いて得られる回帰係数をスペクトル算出用パラメータとする。
【００４５】
この回帰係数を求める方法について説明する。まず、互いに色調の異なる複数のサンプルマークを用意する。
【００４６】
そして、分光器を用いて各サンプルマークの可視光帯（波長４００〜７００ｎｍ）における反射スペクトル特性を測定する。反射スペクトル特性は、波長に対する反射率で表され、例えば図４に示すような反射スペクトル特性が得られる。図４には、例として５つの色調のサンプルマークの反射スペクトル特性を示しているが、反射スペクトル特性の算出制度を向上させるため、もっと多くのサンプルマークを用いてもよい。
【００４７】
また、光量検出器を用いて各サンプルマークからの反射光のＲ値、Ｇ値、Ｂ値をそれぞれ測定する。この際に用いる光量検出器は、読取装置２の読取部２１と、光源のスペクトル特性も含めて同様の構成のものであることが望ましい。
【００４８】
上記のように測定された各サンプルマークに対応する反射スペクトル特性およびＲ値、Ｇ値、Ｂ値を用いて、複数の波長において、重回帰式を求める。
【００４９】
重回帰式は、２つ以上の説明変数ｘ１，ｘ２，…によって目的変数ｙを表す方程式であり、以下の（式１）のように表される。ａ，ｂ，ｃ，…を回帰係数と呼ぶ。
【００５０】
ｙ＝ａ＋ｂｘ１＋ｃｘ２＋…      （式１）
本実施の形態では、反射率を目的変数とし、Ｒ値、Ｇ値、Ｂ値を説明変数とする重回帰式を、複数の波長において求める。例えば、可視光帯において、波長４００ｎｍ，４０５ｎｍ，４１０ｎｍ，…のように複数の波長のそれぞれについて、各サンプルマークの反射率と、Ｒ値、Ｇ値、Ｂ値とを用いて、重回帰式を求める。これにより、反射率をｒ、Ｒ値、Ｇ値、Ｂ値をそれぞれＲ，Ｇ，Ｂとすると、以下の（式２）のような重回帰式が、波長ごとに求められる。なお、重回帰式を求める計算方法については公知であるため説明を省略する。
【００５１】
ｒ＝ａ＋ｂＲ＋ｃＧ＋ｄＢ      （式２）
これにより、回帰係数ａ，ｂ，ｃ，ｄが、波長ごとに得られる。例えば、波長４００ｎｍについてはａ１，ｂ１，ｃ１，ｄ１、波長４０５ｎｍについてはａ２，ｂ２，ｃ２，ｄ２、４１０ｎｍについてはａ３，ｂ３，ｃ３，ｄ３、といったように得られる。
【００５２】
このようにして波長ごとに得られた回帰係数を用いることで、読取部２１で検出する照合用マーク１２からの反射光のＲ値、Ｇ値、Ｂ値から、各波長における反射率が求められ、これにより反射スペクトル特性が得られる。
【００５３】
次に、認証装置３のスペクトル特性記憶部３１２に記憶される照合用マーク１２の正規の反射スペクトル特性について説明する。
【００５４】
認証システム１で読み取り対象となるカード１１の発行時に、分光器を用いて、カード１１上に印刷された照合用マーク１２の可視光帯における反射スペクトル特性を測定する。これにより、例えば図５に示すような反射スペクトル特性が得られる。認証システム１で読み取り対象となる照合用マーク１２の色が複数種類ある場合は、各色について、反射スペクトル特性を測定する。この際に用いる分光器は、上述した回帰係数を求めるために各サンプルマークの反射スペクトル特性を測定するときに用いるものと同様の仕様のものであることが望ましい。
【００５５】
このように得られた反射スペクトル特性が、照合用マーク１２の正規の反射スペクトル特性としてスペクトル特性記憶部３１２に記憶される。照合用マーク１２の色はカードＩＤと対応するため、正規の反射スペクトル特性はカードＩＤに対応させて記憶される。
【００５６】
次に、認証装置３の具体的なハードウェア構成について説明する。図６は、認証装置３のハードウェア構成例を示す図である。
【００５７】
図６において、ＣＰＵ１０１は、認証装置３の各部を統括的に制御する中央演算処理装置であり、図１に示した認証装置３の制御部３３の機能を果たすものである。
【００５８】
ＲＡＭ１０２は、一時的なデータの保存や演算時におけるＣＰＵ１０１のワークエリアとして使用される。ＲＯＭ１０３は、ＣＰＵ１０１の制御プログラムであるオペレーティングシステム（ＯＳ）等を記憶する。
【００５９】
通信Ｉ／Ｆ１０４は、図１に示した認証装置３の通信部３２の機能を果たすものであり、通信回線１０を介して読取装置２との通信を行うインタフェースである。
【００６０】
入力装置１０５は、キーボードやマウス等からなり、操作者による各種入力操作を受け付けるものである。
【００６１】
記憶装置１０６は、ハードディスク等からなり、図１に示した認証装置３の記憶部３１の機能を果たすものである。また、記憶装置１０６は、カード認証に関するプログラムを記憶している。ＣＰＵ１０１が記憶装置１０６からＲＡＭ１０２へカード認証に関するプログラムを読み込んで実行することにより、制御部３３の判断部３３１の機能等が実現される。
【００６２】
表示装置１０７は、液晶ディスプレイ等からなり、図１に示した認証装置３の表示部３４に該当するものである。
【００６３】
次に、認証システム１の動作について、図７のフローチャートを参照して説明する。
【００６４】
まず、ステップＳ１０において、読取装置２のＩＤ取得部２２は、カードＩＤを取得する。
【００６５】
次いで、ステップＳ２０において、読取装置２の制御部２４は、通信部２３を介してカードＩＤを認証装置３に送信する。
【００６６】
次いで、ステップＳ３０において、認証装置３の制御部３３は、パラメータ記憶部３１１に記憶されているスペクトル算出用パラメータである回帰係数と、可視光帯における任意のｎ個の波長値（λ値）とを、通信部３２を介して読取装置２に送信する。ｎ個のλ値は、カード１１の読み取りごとに設定するものであり、予め特定するものではない。
【００６７】
次いで、ステップＳ４０において、読取装置２の制御部２４は、カード１１の照合用マーク１２を読み取るよう読取部２１を制御し、照合用マーク１２による反射光のＲ値、Ｇ値、Ｂ値を読取部２１から取得する。なお、このステップＳ４０の照合用マーク１２の読み取り処理は、認証装置３によるスペクトル算出用パラメータおよびλ値の送信（ステップＳ３０）の後に行う必要はなく、カードＩＤを取得（ステップＳ１０）すれば開始してよい。
【００６８】
次いで、ステップＳ５０において、読取装置２のスペクトル特性算出部２４１は、ステップＳ４０で取得したＲ値、Ｇ値、Ｂ値と、ステップＳ３０で認証装置３から送信されたスペクトル算出用パラメータとを用いて、読取部２１で読み取った照合用マーク１２の反射スペクトル特性を算出する。
【００６９】
次いで、ステップＳ６０において、読取装置２のスペクトル特性算出部２４１は、ステップＳ５０で算出した反射スペクトル特性において、認証装置３から送信されたｎ個のλ値に対応するｎ個の反射率を求め、このｎ個の反射率を、通信部２３を介して認証装置３に送信する。
【００７０】
次いで、ステップＳ７０において、認証装置３の判断部３３１は、ステップＳ２０で読取装置２から送信されたカードＩＤに対応する正規の反射スペクトル特性をスペクトル特性記憶部３１２から読み出し、この正規の反射スペクトル特性におけるｎ個のλ値に対応するｎ個の反射率を求める。そして、判断部３３１は、この正規の反射スペクトル特性におけるｎ個のλ値に対応するｎ個の反射率と、ステップＳ６０において読取装置２のスペクトル特性算出部２４１で算出したｎ個の反射率とを照合し、所定の精度における数値の一致が確認された場合、読取装置２で照合用マーク１２を読み取ったカード１１は正規のカードであるとして認証ＯＫと判断し、数値の一致が見られない場合は、認証ＮＧと判断する。判断部３３１は、認証ＯＫまたは認証ＮＧの判断結果を、通信部３２を介して読取装置２に送信する。
【００７１】
認証装置３の判断部３３１による判断結果を受信すると、読取装置２の制御部２４は、その結果を表示部２５に表示させる。認証ＮＧの場合は、読み取り手順のやり直しを指示するメッセージを表示部２５に表示させるようにしてもよい。
【００７２】
以上説明したように、第１の実施の形態によれば、カード１１上に印刷した照合用マーク１２による反射光のＲ値、Ｇ値、Ｂ値から照合用マーク１２の反射スペクトル特性を求め、この反射スペクトル特性を認証情報として用いる。このため、カード１１は低コストで容易に製造可能であり、また、読取装置２の読取部２１も簡単な構成で実現できるので、幅広い用途への利用を実現することができる。
【００７３】
また、照合用マーク１２による反射光のＲ値、Ｇ値、Ｂ値から反射スペクトル特性を求めるためのスペクトル算出用パラメータが認証装置３に格納されているため、機密性に優れる。
【００７４】
なお、本実施の形態では、読取装置２で照合用マーク１２を読み取って得られた反射スペクトルと、正規の反射スペクトルとを照合するために、両者についてｎ個のλ値に対応するｎ個の反射率をそれぞれ求めて、その反射率を照合したが、これに限らず、両者が一致するか否かを判断できる方法であればどのような照合方法を用いてもよい。
【００７５】
また、スペクトル算出用パラメータとしての回帰係数は、照合用マーク１２の色ごとに算出、記憶する必要はないが、色調が大きく異なる色の照合用マーク１２を用いる場合は、その色に応じた回帰係数を用意しておいてもよい。
【００７６】
この場合、色調が大きく異なる照合用マーク１２の色ごとに、複数のサンプルマークを用意し、前述したような方法で、それぞれ複数の波長について回帰係数を求める。この色ごとに複数の波長について得られた回帰係数を、各色に応じたスペクトル算出用パラメータとして、カードＩＤと対応させて、パラメータ記憶部３１１に記憶させておく。そして、前述のステップＳ３０において、認証装置３の制御部３３がスペクトル算出用パラメータである回帰係数を読取装置に送信する際に、カードＩＤに応じた回帰係数を選択して送信するようにすればよい。このようにすることで、反射スペクトル特性をより精度よく算出することが期待できる。
【００７７】
また、本実施の形態の説明では、可視光帯（波長４００〜７００ｎｍ）の反射スペクトル特性のみを用いていたが、特殊なインク等を用いて、例えば近赤外領域に特徴のある反射スペクトル特性を有する照合用マーク１２を形成し、この近赤外領域まで含めた反射スペクトル特性を用いて照合を行うようにしてもよい。
【００７８】
この場合、読取部２１が近赤外領域に検出感度を持つ構成にする必要がある。図２に示した構成であれば、赤用センサ２１９を近赤外領域の光量値（ＩＲ値とする）も検出できるようなもので構成すればよい。また、スペクトル算出用パラメータとしての回帰係数を求める際は、照合用マーク１２と同様のインク等を用いて形成した複数のサンプルマークを用意し、分光器を用いて各サンプルマークの可視光帯と近赤外領域の反射スペクトル特性を測定し、光量検出器を用いて各サンプルマークからの反射光のＲ値＋ＩＲ値、Ｇ値、Ｂ値を測定する。
【００７９】
そして、各サンプルマークの反射スペクトル特性およびＲ値＋ＩＲ値、Ｇ値、Ｂ値を用いて、可視光帯に近赤外領域を加えた波長領域で、反射率を目的変数とし、Ｒ値＋ＩＲ値、Ｇ値、Ｂ値を説明変数とする重回帰式を、複数の波長において求める。このようにして得られる重回帰式の回帰係数を、スペクトル算出用パラメータとする。また、スペクトル特性記憶部３１２に記憶する正規の反射スペクトル特性も、可視光帯と近赤外領域の反射スペクトル特性を分光器で測定したものとする。
【００８０】
照合用マーク１２の読み取り時には、読取部２１で検出したＲ値＋ＩＲ値、Ｇ値、Ｂ値とスペクトル算出用パラメータとを用いて、可視光帯と近赤外領域の反射スペクトル特性を算出し、この反射スペクトル特性と、スペクトル特性記憶部３１２の正規の反射スペクトル特性とを照合して、認証ＯＫまたは認証ＮＧの判断を行う。このように近赤外領域まで含めた反射スペクトル特性を用いて認証を行うようにすることで、カード１１の偽造等をより確実に防止してセキュリティを向上することができる。
【００８１】
（第１の実施の形態の変形例）
図１に示した第１の実施の形態の認証システム１は、読取装置２で読み取った照合用マーク１２の反射スペクトル特性を読取装置２側で算出するものであったが、本変形例では、照合用マーク１２の反射スペクトル特性を、認証装置側で算出する。以下、図１に示した認証システム１と異なる点について主に説明する。
【００８２】
図８は、第１の実施の形態の変形例に係る認証システムの構成を示すブロック図である。図８に示すように、本変形例に係る認証システム１Ａの読取装置２Ａは、図１の認証システム１の読取装置２に対し、スペクトル特性算出部２４１を省略したものである。
【００８３】
また、認証システム１Ａの認証装置３Ａは、図１の認証システム１の認証装置３に対し、スペクトル特性算出部３３２を追加した構成である。スペクトル特性算出部３３２は、読取装置２Ａの読取部２１で照合用マーク１２を読み取って得られたＲ値、Ｇ値、Ｂ値と、パラメータ記憶部３１１に記憶されているスペクトル算出用パラメータとを用いて、照合用マーク１２の反射スペクトル特性を算出する。
【００８４】
次に、認証システム１Ａの動作について説明する。
【００８５】
まず、読取装置２ＡのＩＤ取得部２２は、カードＩＤを取得する。次いで、読取装置２Ａの制御部２４は、カード１１の照合用マーク１２を読み取るよう読取部２１を制御し、照合用マーク１２による反射光のＲ値、Ｇ値、Ｂ値を読取部２１から取得する。
【００８６】
次いで、読取装置２Ａの制御部２４は、カードＩＤと、読取部２１から取得したＲ値、Ｇ値、Ｂ値を示す情報とを、通信部２３を介して認証装置３に送信する。
【００８７】
次いで、認証装置３Ａのスペクトル特性算出部３３２は、読取装置２Ａの読取部２１で取得したＲ値、Ｇ値、Ｂ値と、パラメータ記憶部３１１に記憶されているスペクトル算出用パラメータである回帰係数とを用いて、読取部２１で読み取った照合用マーク１２の反射スペクトル特性を算出する。
【００８８】
次いで、認証装置３Ａのスペクトル特性算出部３３２は、算出した照合用マーク１２の反射スペクトル特性において、任意のｎ個のλ値に対応するｎ個の反射率を求める。
【００８９】
次いで、認証装置３Ａの判断部３３１は、読取装置２Ａから送信されたカードＩＤに対応する正規の反射スペクトル特性をスペクトル特性記憶部３１２から読み出し、この正規の反射スペクトル特性におけるｎ個のλ値に対応するｎ個の反射率を求める。そして、判断部３３１は、この正規の反射スペクトル特性におけるｎ個のλ値に対応するｎ個の反射率と、スペクトル特性算出部３３２で算出した照合用マーク１２の反射スペクトル特性におけるｎ個のλ値に対応するｎ個の反射率とを照合し、所定の精度における数値の一致が確認された場合、読取装置２Ａで照合用マーク１２を読み取ったカード１１は正規のカードであるとして認証ＯＫと判断し、数値の一致が見られない場合は、認証ＮＧと判断する。
【００９０】
このような本変形例の認証システム１Ａによっても、上記第１の実施の形態で説明した図１の認証システム１と同様に、幅広い用途への利用と優れた機密性を実現することができる。
【００９１】
［第２の実施の形態］
図９は、本発明の第２の実施の形態に係る認証システムの構成を示すブロック図である。図９に示すように、第２の実施の形態に係る認証システム１Ｂは、読取装置２Ｂと、認証装置３Ｂとを備える。
【００９２】
第１の実施の形態では、読取装置２として認証システム１に専用の読取装置を用いていたが、第２の実施の形態では、カメラ付携帯電話等の汎用の読取装置を用いる。
【００９３】
読取装置２Ｂは、読取部２６と、通信部２７と、制御部２８と、表示部２９とを備える。
【００９４】
読取部２６は、イメージセンサ２６１と、画像処理部２６２とを備える。イメージセンサ２６１は、ＣＣＤ（Charge Coupled Device）等の光電変換素子を有し、レンズおよび光学フィルタ（いずれも図示せず）を介して入射した光を光電変換して電気信号を出力する。画像処理部２６２は、イメージセンサ２６１から入力される電気信号を処理して各種の情報を取得する。
【００９５】
通信部２７は、通信回線１０を介して認証装置３Ｂとの通信を行うインタフェースである。
【００９６】
制御部２８は、読取装置２Ｂ全体の動作を制御するものであり、ＣＰＵ、ＲＯＭ、ＲＡＭ（いずれも図示せず）等から構成される。
【００９７】
前述のように、読取装置２Ｂは、カメラ付携帯電話等の汎用の読取装置から構成され、認証システム１Ｂに対応したプログラムがインストールされている。このプログラムをＣＰＵが実行することにより、本実施の形態の読取装置２Ｂとしての機能が実現される。
【００９８】
表示部２９は、認証装置３Ｂによる判断結果をユーザに通知するために、判断結果の表示を行う。
【００９９】
認証装置３Ｂは、図８の認証システム１Ａの認証装置３Ａに対し、光源タイプ判定テーブル記憶部３１３と、光源タイプ判定部３３３とを追加した構成である。
【０１００】
光源タイプ判定テーブル記憶部３１３は、読取装置２Ｂで読み取りを行う際の光源環境を分類する光源タイプを判定するために用いられる光源タイプ判定テーブルを予め記憶する。
【０１０１】
光源タイプ判定部３３３は、後述する基準カラーマークを読取装置２Ｂで読み取って得られた各色のマークからの反射光のＲ値、Ｇ値、Ｂ値と、光源タイプ判定テーブルとに基づいて、読取装置２Ｂで読み取りを行った際の光源タイプを判定する。
【０１０２】
認証装置３Ｂも、第１の実施の形態の認証装置３と同様の図６に示したハードウェア構成で実現可能であり、ＣＰＵ１０１が記憶装置１０６からＲＡＭ１０２へカード認証に関するプログラムを読み込んで実行することにより、制御部３３の判断部３３１、スペクトル特性算出部３３２、光源タイプ判定部３３３の機能等が実現される。
【０１０３】
第１の実施の形態では、認証システム１に専用の読取装置２の読取部２１を用いて読み取りを行う。このため、読み取り時の光源環境や、光量検出系の分光感度特性は一定である。これに対し、第２の実施の形態では、読取装置２Ｂとして汎用の読取装置を用いる。汎用の読取装置では、光源を搭載していないものも多く、読み取り時の光源環境が特定できない。また、読取装置の機種等により、分光感度特性が異なる。
【０１０４】
ここで、汎用の読取装置の分光感度特性の一例を図１０に示す。図１０は、光を受けたときの感度の波長に対する特性を表すものである。汎用の読取装置は一般に、イメージセンサ、イメージセンサ上に光を集光するレンズ等の光学系、一部の波長域を制限するための光学フィルタなどを備え、それらの光学的特性を総合して波長に対する分光感度が決まる。したがって、図１０に示されているようにＲ，Ｇ，Ｂの各値を検出するために３つの分光感度の組み合わせで構成されることになる。
【０１０５】
読み取り時の光源環境や読取装置の分光感度特性が異なると、同じ照合用マークを読み取っても、検出されるＲ値、Ｇ値、Ｂ値が異なることがある。このため、どのような光源環境でどのような機種の読取装置を用いる場合に対しても同じスペクトル算出用パラメータ（回帰係数）を用いるとすると、算出される照合用マークの反射スペクトル特性が、読み取り時の光源環境や読取装置の機種によって異なり、正規の反射スペクトル特性と照合した結果が誤ってしまうおそれがある。
【０１０６】
そこで、第２の実施の形態では、読み取り時の光源環境および読取装置２Ｂの分光感度特性によって、照合用マークの反射スペクトル特性の算出に用いるスペクトル算出用パラメータ（回帰係数）を変える。光源環境については、後述する基準カラーマークを読取部２６で読み取って得られる各色のマークからの反射光のＲ値、Ｇ値、Ｂ値と、後述する光源タイプ判定テーブルとに基づいて、光源タイプを判定する。分光感度特性については、読取装置２Ｂから自装置の機種を示す情報を含む読取装置ＩＤを取得し、この読取装置ＩＤを用いて判断する。
【０１０７】
第２の実施の形態における認証媒体であるカードに印刷される基準カラーマークおよび照合用マークを図１１に示す。図１１に示すように、基準カラーマーク１４は、それぞれ赤、緑、青、白に印刷されたマーク１４１Ｒ，１４１Ｇ，１４１Ｂ，１４１Ｗからなる。なお、マーク１４１Ｗはグレーでもよい。照合用マーク１５は、所定の色で印刷された２次元コードからなる。そのコード情報には、当該照合用マーク１５の色を示す情報が含まれている。
【０１０８】
基準カラーマーク１４を読取部２６で読み取って得られる各色のマーク１４１Ｒ，１４１Ｇ，１４１Ｂ，１４１Ｗからの反射光のＲ値、Ｇ値、Ｂ値は、光源タイプ判定部３３３における光源タイプの判定処理に用いられる。この判定処理において、光源タイプ判定部３３３は、光源タイプ判定テーブル記憶部３１３に記憶されている光源タイプ判定テーブルを参照する。
【０１０９】
光源タイプ判定テーブルの一例を図１２に示す。図１２は、光源タイプＡ〜Ｄの４つの場合を一例として示しているが、さらに多くの光源タイプを設定してもよい。
【０１１０】
図１２の光源タイプ判定テーブルは、光源タイプＡ〜Ｄに対応する４つの異なるスペクトル特性を有する光源を用いて、基準カラーマーク１４の各色のマーク１４１Ｒ，１４１Ｇ，１４１Ｂ，１４１Ｗからの反射光のＲ値、Ｇ値、Ｂ値をそれぞれ測定し、得られた値を用いて、以下のように符号を決定したものである。なお、光源タイプＡ〜Ｄの光源としては、それぞれ図１３（ａ）〜（ｄ）に示すようなスペクトル特性の光源を用いた。
【０１１１】
図１２において、例えば「Ｒ−Ｂ」は、赤のマーク１４１Ｒからの反射光のＢ値を示す。「Ｇ−Ｂ」、「Ｂ−Ｒ」、「Ｗ−Ｂ」等も同様である。そして、例えば、「判定符号Ｒ」欄は、「Ｒ−Ｂ」、「Ｒ−Ｇ」、「Ｒ−Ｒ」の３つの値の大小関係を示し、最も小さいものを「Ｓ」、最も大きいものを「Ｌ」、その中間を「Ｍ」としている。「判定符号Ｇ」欄、「判定符号Ｂ」欄、「判定符号ＲＧＢ」欄も同様であり、それぞれ３つの値の大小関係を示している。３つの値のうち２つ以上がほぼ同じ値である場合は、それらを「Ｅ」としている。大小の判断は、相対値の差が約２％以上の場合、大小差があるとした。「判定符号ＷＲ」欄、「判定符号ＷＧ」欄については、それぞれ２つの値の大小関係を示している。
【０１１２】
次に、認証装置３Ｂのパラメータ記憶部３１１に記憶されるスペクトル算出用パラメータについて説明する。
【０１１３】
照合用マーク１５の反射スペクトル特性の算出に用いるスペクトル算出用パラメータとして、重回帰分析の手法を用いて得られる回帰係数を用いることは第１の実施の形態と同様である。しかし、前述のように、第２の実施の形態では、読み取り時の光源環境および読取装置２Ｂの分光感度特性によって、照合用マークの反射スペクトル特性の算出に用いるスペクトル算出用パラメータ（回帰係数）を変える。
【０１１４】
このため、光源タイプ判定部３３３で光源タイプ判定テーブルを用いて判定するすべての光源タイプ（図１２の例では４つ）と、認証システム１Ｂで使用を想定しているすべての機種の読取装置の分光感度特性のタイプ（光学系タイプ）との組み合わせのすべてに対応するスペクトル算出用パラメータ（回帰係数）を予め用意し、認証装置３Ｂのパラメータ記憶部３１１に記憶しておく。
【０１１５】
複数のサンプルマークを用意し、各サンプルマークの反射スペクトル特性と、各サンプルマークの反射光のＲ値、Ｇ値、Ｂ値とを測定し、これらを用いてスペクトル算出用パラメータである回帰係数を求める手法は第１の実施の形態と同様であるが、第２の実施の形態では、各サンプルマークの反射光のＲ値、Ｇ値、Ｂ値を測定する際、認証システム１Ｂで想定している光源タイプと分光感度特性のタイプとのすべての組み合わせのそれぞれに対応する光源スペクトル特性と分光感度特性とを有する光量検出器を用いて、すべての組み合わせに応じたＲ値、Ｇ値、Ｂ値を測定する。このすべての組み合わせに応じたＲ値、Ｇ値、Ｂ値を用いて、すべての組み合わせに対応する回帰係数を求める。
【０１１６】
認証装置３Ｂのスペクトル特性記憶部３１２には、照合用マーク１５の正規の反射スペクトル特性が予め記憶されている。これは、照合用マーク１５が印刷されたカードの発行時に、分光器を用いて測定されたものである。照合用マーク１５の正規の反射スペクトル特性は、照合用マーク１５の色を示す情報と対応させて記憶される。
【０１１７】
次に、認証システム１Ｂの動作について説明する。
【０１１８】
まず、読取装置２Ｂの動作を説明する。読取装置２Ｂにおいて、基準カラーマーク１４および照合用マーク１５からの反射光が入射すると、イメージセンサ２６１は、入射した光を光電変換して電気信号を出力する。画像処理部２６２は、イメージセンサ２６１から入力される電気信号を処理して画像を出力するとともに、基準カラーマーク１４の各色のマーク１４１Ｒ，１４１Ｇ，１４１Ｂ，１４１Ｗからの反射光のＲ値、Ｇ値、Ｂ値、および照合用マーク１５からの反射光のＲ値、Ｇ値、Ｂ値を取得して、これらを制御部２８に出力する。
【０１１９】
また、制御部２８は、照合用マーク１５の２次元コードの画像から、照合用マーク１５の色を示す情報を読み取る。
【０１２０】
そして、制御部２８は、マーク１４１Ｒ，１４１Ｇ，１４１Ｂ，１４１Ｗおよび照合用マーク１５のそれぞれについてのＲ値、Ｇ値、Ｂ値と、照合用マーク１５の色を示す情報と、読取装置２Ｂの読取装置ＩＤとを、通信部２７を介して認証装置３Ｂに送信する。
【０１２１】
ここで、読取装置ＩＤは、読取装置２Ｂの機種を示す情報を含むものであり、認証装置３Ｂにおいて、読取装置２Ｂの分光感度特性のタイプ（光学系タイプ）を判断するための光学系タイプ情報として用いられる。
【０１２２】
次に、認証装置３Ｂの動作について、図１４に示すフローチャートを参照して説明する。
【０１２３】
読取装置２Ｂから上述した各種の情報を受信すると、ステップＳ１１０において、光源タイプ判定部３３３は、マーク１４１Ｒ，１４１Ｇ，１４１Ｂ，１４１ＷのそれぞれについてのＲ値、Ｇ値、Ｂ値と、光源タイプ判定テーブル記憶部３１３に記憶された光源タイプ判定テーブルとを用いて、読取装置２Ｂで読み取りを行った際の光源タイプを判定する。この光源タイプの判定処理については後述する。
【０１２４】
次いで、ステップＳ１２０において、スペクトル特性算出部３３２は、ステップＳ１１０で判定した光源タイプと、読取装置ＩＤが示す機種の分光感度特性のタイプとの組み合わせに応じたスペクトル算出用パラメータ（回帰係数）をパラメータ記憶部３１１から選択して取得する。
【０１２５】
次いで、ステップＳ１３０において、スペクトル特性算出部３３２は、読取装置２Ｂから取得した照合用マーク１５についてのＲ値、Ｇ値、Ｂ値と、ステップＳ１２０で選択したスペクトル算出用パラメータを用いて、読取装置２Ｂで読み取った照合用マーク１５の反射スペクトル特性を算出する。
【０１２６】
そして、ステップＳ１４０において、判断部３３１は、読取装置２Ｂから取得した照合用マーク１５の色を示す情報に応じた正規の反射スペクトル特性をスペクトル特性記憶部３１２から選択し、この正規の反射スペクトル特性と、ステップＳ１３０で算出した反射スペクトル特性とを照合し、認証ＯＫまたは認証ＮＧの判断を行う。照合の方法は第１の実施の形態で説明したものと同様であり、例えば、ステップＳ１３０で算出した反射スペクトル特性と正規の反射スペクトル特性とのそれぞれについて、ｎ個のλ値に対応するｎ個の反射率を求めてそれらを照合する方法を用いる。
【０１２７】
判断が終了すると、判断部３３１は、認証ＯＫまたは認証ＮＧの判断結果を、通信部３２を介して読取装置２Ｂに送信する。
【０１２８】
認証装置３Ｂの判断部３３１による判断結果を受信すると、読取装置２Ｂの制御部２８は、その結果を表示部２９に表示させる。認証ＮＧの場合は、読み取り手順のやり直しを指示するメッセージを表示部２９に表示させるようにしてもよい。
【０１２９】
次いで、上記ステップＳ１１０の光源タイプの判定処理について、図１５に示すフローチャートを参照して説明する。
【０１３０】
ステップＳ２１０において、光源タイプ判定部３３３は、読取装置２Ｂから取得したマーク１４１Ｒ，１４１Ｇ，１４１Ｂ，１４１ＷのそれぞれについてのＲ値、Ｇ値、Ｂ値である１２個の値から、前述した図１２の光源タイプ判定テーブルに示される各判定符号を決定するための組み合わせを作り、その中で相互比較を行う。例えば、判定符号Ｒを決定するための「Ｒ−Ｂ」、「Ｒ−Ｇ」、「Ｒ−Ｒ」の組み合わせにおける３つの値を比較して大小関係を求める。
【０１３１】
次いで、ステップＳ２２０において、光源タイプ判定部３３３は、ステップＳ２１０の相互比較の結果から、各判定符号（判定符号Ｒ、判定符号Ｇ、判定符号Ｂ、判定符号ＲＧＢ、判定符号ＷＲ、判定符号ＷＧ）を決定する。それぞれの判定符号の決定の仕方は、前述した図１２の光源タイプ判定テーブルの説明におけるものと同様であるため説明を省略する。
【０１３２】
これにより、例えば、判定符号Ｒ：「ＳＭＬ」，判定符号Ｇ：「ＭＬＳ」，判定符号Ｂ：「ＬＭＳ」，判定符号ＲＧＢ：「ＥＥＬ」，判定符号ＷＲ：「ＬＳ」，判定符号ＷＧ：「ＬＳ」のような、６種類の判定符号が得られる。
【０１３３】
そして、ステップＳ２３０において、光源タイプ判定部３３３は、光源タイプ判定テーブル記憶部３１３に記憶されている光源タイプ判定テーブルにおける各光源タイプＡ〜Ｄの各判定符号と、ステップＳ２２０で求めた各判定符号とを照合して、光源タイプＡ〜Ｄから、読取装置２Ｂで読み取りを行った際の光源タイプを選択する。
【０１３４】
以上説明したように、第２の実施の形態によれば、第１の実施の形態と同様にカードは低コストで容易に製造可能であり、また、読取装置２Ｂとして汎用の読取装置を用いることができるので、幅広い用途への利用を実現することができる。また、第１の実施の形態と同様に、スペクトル算出用パラメータが認証装置３に格納されているため、機密性に優れる。
【０１３５】
なお、照合用マーク１５の正規の反射スペクトル特性を示す情報を、認証装置３Ｂのスペクトル特性記憶部３１２に記憶しておくのではなく、照合用マーク１５の２次元コードに書き込んでおき、照合用マーク１５を読み取る際にこの情報も読取装置２Ｂが取得して認証装置３Ｂに送るようにしてもよい。
【０１３６】
この場合、例えば、照合用マーク１５の正規の反射スペクトル特性におけるｎ個のλ値に対応するｎ個の反射率を示す情報を２次元コードに書き込んでおき、照合用マーク１５を読み取る際に読取装置２Ｂがこの情報を取得して認証装置３Ｂに送る。認証装置３Ｂの判断部３３１は、スペクトル特性算出部３３２で算出した照合用マーク１５の反射スペクトル特性におけるｎ個のλ値に対応するｎ個の反射率と、読取装置２Ｂから取得した正規の反射スペクトル特性におけるｎ個のλ値に対応するｎ個の反射率とを照合して、認証ＯＫか否かを判断する。
【０１３７】
また、読取装置２Ｂのイメージセンサ２６１が近赤外領域に検出感度を持つものであれば、第１の実施の形態と同様に、特殊なインク等を用いて、近赤外領域に特徴のある反射スペクトル特性を有する照合用マーク１５を形成し、この近赤外領域まで含めた反射スペクトル特性を用いて照合を行うようにすることも可能である。
【０１３８】
また、第１の実施の形態と同様に、スペクトル算出用パラメータとしての回帰係数は、照合用マーク１５の色ごとに用意する必要はないが、色調が大きく異なる色の照合用マーク１５を用いる場合は、その色に応じた回帰係数を用意しておいてもよい。
【０１３９】
（第２の実施の形態の変形例）
図９に示した第２の実施の形態の認証システム１Ｂは、スペクトル算出用パラメータを予め認証装置３Ｂのパラメータ記憶部３１１に記憶しておくものであったが、本変形例では、読み取り動作ごとにスペクトル算出用パラメータを算出する。以下、図９に示した認証システム１Ｂと異なる点について主に説明する。
【０１４０】
図１６は、第２の実施の形態の変形例に係る認証システムの構成を示すブロック図である。図１６に示すように、本変形例に係る認証システム１Ｃは、図９に示した認証システム１Ｂに対し、認証装置３Ｂを認証装置３Ｃに置き換えたものである。
【０１４１】
認証装置３Ｃは、図９の認証装置３Ｂに対し、パラメータ記憶部３１１を省略し、光源スペクトル特性記憶部３１４と、分光感度特性記憶部３１５と、サンプルスペクトル特性記憶部３１６と、パラメータ算出部３３４とを追加した構成である。
【０１４２】
光源スペクトル特性記憶部３１４は、光源タイプ判定テーブル記憶部３１３に記憶されている光源タイプ判定テーブルを用いて判定される光源タイプＡ〜Ｄの光源スペクトル特性のデータである、図１３（ａ）〜（ｄ）のデータを予め記憶する。光源タイプＡ〜Ｄと判定される光源環境が実際に図１３（ａ）〜（ｄ）のスペクトル特性と一致するとは限らないが、近似するものとして、スペクトル算出用パラメータの算出に用いることができる。
【０１４３】
分光感度特性記憶部３１５は、認証システム１Ｃで使用を想定しているすべての機種の読取装置の分光感度特性のタイプ（光学系タイプ）に応じた分光感度特性のデータを予め記憶する。例えば、図１０に示したようなデータを、分光感度特性のタイプごとに記憶している。
【０１４４】
サンプルスペクトル特性記憶部３１６は、図４に示したような、複数のサンプルマークの反射スペクトル特性のデータを予め記憶する。
【０１４５】
パラメータ算出部３３４は、読取装置ＩＤが示す機種の分光感度特性のタイプに応じた分光感度特性のデータと、光源タイプ判定部３３３で判定した光源タイプに応じた光源スペクトル特性のデータと、複数のサンプルマークの反射スペクトル特性のデータとを用いて、スペクトル算出用パラメータ（回帰係数）を算出する。
【０１４６】
次に、認証システム１Ｃの動作について説明する。
【０１４７】
読取装置２Ｂの動作は、第２の実施の形態で説明した認証システム１Ｂにおける動作と同様であり、読取装置２Ｂは、マーク１４１Ｒ，１４１Ｇ，１４１Ｂ，１４１Ｗおよび照合用マーク１５のそれぞれについてのＲ値、Ｇ値、Ｂ値と、照合用マーク１５の色を示す情報と、読取装置２Ｂの読取装置ＩＤとを認証装置３Ｃに送信する。
【０１４８】
読取装置２Ｂから上述した各種の情報を受信すると、認証装置３Ｃの光源タイプ判定部３３３は、第２の実施の形態で説明した図１４のフローチャートの手順により、読取装置２Ｂで読み取りを行った際の光源タイプを判定する。
【０１４９】
次いで、パラメータ算出部３３４は、読取装置ＩＤが示す機種の分光感度特性のタイプに応じた分光感度特性のデータを分光感度特性記憶部３１５から選択し、光源タイプ判定部３３３で判定した光源タイプに応じた光源スペクトル特性のデータを光源スペクトル特性記憶部３１４から選択する。
【０１５０】
そして、パラメータ算出部３３４は、それぞれ選択した分光感度特性のデータおよび光源スペクトル特性のデータと、サンプルスペクトル特性記憶部３１６に記憶されている複数のサンプルマークの反射スペクトル特性のデータとを用いて、スペクトル算出用パラメータ（回帰係数）を算出する。
【０１５１】
このスペクトル算出用パラメータの算出において、まず、各サンプルマークのＲ値、Ｇ値、Ｂ値を求める。各サンプルマークについてのＲ値、Ｇ値、Ｂ値は、第１および第２の実施の形態では、光量検出器を用いて測定したものであった。本変形例では、この各サンプルマークについてのＲ値、Ｇ値、Ｂ値を、分光感度特性のデータと光源スペクトル特性のデータと各サンプルマークの反射スペクトル特性のデータとを用いて算出する。
【０１５２】
例えば、Ｒ値については、分光感度特性のデータにおいてＲ光の感度がピークとなる付近の波長帯域における複数の波長について、Ｒ光の感度と、光源の光の強度と、サンプルマークの反射率とを乗算した値をそれぞれ算出し、それらの値を積算することで、そのサンプルマークについてのＲ値（相対値）が得られる。Ｇ値、Ｂ値についても同様である。このようにして、パラメータ算出部３３４は、選択した分光感度特性のデータおよび光源スペクトル特性のデータと、各サンプルマークの反射スペクトル特性のデータとから、各サンプルマークについてのＲ値、Ｇ値、Ｂ値を算出する。
【０１５３】
パラメータ算出部３３４は、算出した各サンプルマークについてのＲ値、Ｇ値、Ｂ値と、各サンプルマークの反射スペクトル特性のデータとを用いて、第１の実施の形態で説明したのと同様の手法を用いて、スペクトル算出用パラメータとしての回帰係数を求める。
【０１５４】
スペクトル特性算出部３３２は、読取装置２Ｂから取得した照合用マーク１５についてのＲ値、Ｇ値、Ｂ値と、パラメータ算出部３３４で算出したスペクトル算出用パラメータを用いて、読取装置２Ｂで読み取った照合用マーク１５の反射スペクトル特性を算出する。
【０１５５】
そして、判断部３３１は、読取装置２Ｂから取得した照合用マーク１５の色を示す情報に応じた正規の反射スペクトル特性をスペクトル特性記憶部３１２から選択し、この正規の反射スペクトル特性と、スペクトル特性算出部３３２で算出した反射スペクトル特性とを照合し、認証ＯＫまたは認証ＮＧの判断を行う。
【０１５６】
このような本変形例の認証システム１Ｃによっても、幅広い用途への利用と優れた機密性を実現することができる。
【符号の説明】
【０１５７】
１，１Ａ，１Ｂ，１Ｃ  認証システム
２，２Ａ，２Ｂ  読取装置
３，３Ａ，３Ｂ，３Ｃ  認証装置
１１  カード
１２，１５  照合用マーク
１４  基準カラーマーク
２１，２６  読取部
２２  ＩＤ取得部
２３，２７  通信部
２４，２８  制御部
２５，２９  表示部
３１  記憶部
３２  通信部
３３  制御部
３４  表示部
２４１  スペクトル特性算出部
２６１  イメージセンサ
２６２  画像処理部
３１１  パラメータ記憶部
３１２  スペクトル特性記憶部
３１３  光源タイプ判定テーブル記憶部
３１４  光源スペクトル特性記憶部
３１５  分光感度特性記憶部
３１６  サンプルスペクトル特性記憶部
３３１  判断部
３３２  スペクトル特性算出部
３３３  光源タイプ判定部
３３４  パラメータ算出部
【図１】
2011248632.tif 000003
【図２】
2011248632.tif 000004
【図３】
2011248632.tif 000005
【図４】
2011248632.tif 000006
【図５】
2011248632.tif 000007
【図６】
2011248632.tif 000008
【図７】
2011248632.tif 000009
【図８】
2011248632.tif 000010
【図９】
2011248632.tif 000011
【図１０】
2011248632.tif 000012
【図１１】
2011248632.tif 000013
【図１２】
2011248632.tif 000014
【図１３】
2011248632.tif 000015
【図１４】
2011248632.tif 000016
【図１５】
2011248632.tif 000017
【図１６】
2011248632.tif 000018